(57)【要約】【課題】火災受信機の設置先の要求に適合した行動ガイドを表示させることができる火災受信機を提供する。【解決手段】火災感知器と、該火災感知器の火災発報に連動して動作する複数の防排煙機器とが接続され、火災発報時に実行すべき一連の行動をガイドする複数の行動ガイド画面を一定の手順で表示する表示部２３と、複数の行動ガイド画面の中から、特定の該行動ガイドを選択させる操作部２５と、複数の行動ガイド画面に関するテンプレート情報を格納する記憶部２４と、表示部２３を制御する制御部２１とを備えた火災受信機であって、制御部２１は、操作部２５からの入力と、テンプレート情報とに基づいて複数の行動ガイド画面を編集する編集処理部４３を備えたものである。【選択図】図２
2014016683.tif 000002
【特許請求の範囲】
【請求項１】
火災感知器と、該火災感知器の火災発報に連動して動作する複数の防排煙機器とが信号線を介して接続され、
火災発報時や故障時に実行すべき一連の行動をガイドする複数の行動ガイド画面を一定の手順で表示する表示部と、
前記複数の行動ガイド画面の中から、特定の該行動ガイド画面を選択させる操作部と、
を備えた火災受信機において、
前記行動ガイド画面を作成するためのテンプレート情報が格納された記憶部と、
前記操作部からの入力と、前記テンプレート情報とに基づいて前記行動ガイド画面を編集する編集処理部
を備えた
ことを特徴とする火災受信機。
【請求項２】
前記テンプレート情報は、前記行動ガイド画面に関する図面表示領域、該行動ガイドに関する文章表示領域、及び該行動ガイドの選択肢表示領域とから構成され、
前記編集処理部は、
前記操作部によって、前記行動ガイドに関する図面、該行動ガイドに関する文章、及び該行動ガイドの選択肢の何れかが入力されたとき、該入力された内容を編集する
ことを特徴とする請求項１に記載の火災受信機。
【発明の詳細な説明】
【技術分野】
【０００１】
本発明は、火災受信機に関する。
【背景技術】
【０００２】
従来の火災受信機は、表示部を備えており、端末機器の作動時、防災センタ要員が実行すべき一連の行動をガイドする行動ガイドを示すガイド画面を表示部に順次表示させていた（例えば、特許文献１参照）。
【先行技術文献】
【特許文献】
【０００３】
【特許文献１】特開２００７−２８６８４２号公報（請求項１）
【発明の概要】
【発明が解決しようとする課題】
【０００４】
しかしながら、表示部によって表示されるガイド画面は、火災受信機の設置時に予め設定されたものであり、火災受信機の設置先の要求、例えば、設置先の物件や地域等の特徴に適合させてメッセージ等を変更することはできなかった。
【０００５】
本発明は、火災受信機の設置先の要求に適合した行動ガイドを表示させることができる火災受信機を提供することを目的とするものである。
【課題を解決するための手段】
【０００６】
本発明の火災受信機は、火災感知器と、該火災感知器の火災発報に連動して動作する複数の防排煙機器とが信号線を介して接続され、火災発報時や故障時に実行すべき一連の行動をガイドする複数の行動ガイド画面を一定の手順で表示する表示部と、前記複数の行動ガイド画面の中から、特定の該行動ガイド画面を選択させる操作部と、を備えた火災受信機において、前記行動ガイド画面を作成するためのテンプレート情報が格納された記憶部と、前記操作部からの入力と、前記テンプレート情報とに基づいて前記行動ガイド画面を編集する編集処理部を備えたものである。
【０００７】
また、本発明の火災受信機において、前記テンプレート情報は、前記行動ガイド画面に関する図面表示領域、該行動ガイドに関する文章表示領域、及び該行動ガイドの選択肢表示領域とから構成され、前記編集処理部は、前記操作部によって、前記行動ガイドに関する図面、該行動ガイドに関する文章、及び該行動ガイドの選択肢の何れかが入力されたとき、該入力された内容を編集するものである。
【発明の効果】
【０００８】
本発明は、行動ガイド画面を作成あるいは変更可能とすることにより、火災受信機の設置先の要求に適合した行動ガイド画面を表示させることができるという効果を有する。
【図面の簡単な説明】
【０００９】
【図１】本発明の実施の形態１における火災受信機ＦＡを含む火災報知設備の全体構成の一例を示す図である。
【図２】本発明の実施の形態１における火災受信機ＦＡの概略構成の一例を示す図である。
【図３】本発明の実施の形態１におけるテンプレートを利用した行動ガイド設定例を示す図である。
【図４】本発明の実施の形態１におけるユーザ設定済みの行動ガイドの一例を示す図である。
【発明を実施するための形態】
【００１０】
以下、本発明の実施の形態について、図面を用いて詳細に説明する。
【００１１】
実施の形態１．
図１は、本発明の実施の形態１における火災受信機ＦＡを含む火災報知設備の全体構成の一例を示す図である。図１に示すように、光電式アナログ感知器ＳＥ１１、熱アナログ感知器ＳＥ１２、アドレッサブル発信機ＳＥ１３、地区ベル用中継器Ｂ１１、及び防排煙制御用中継器Ｄ１１が信号線ＳＧを介して火災受信機ＦＡに接続されている。信号線ＳＧを介して接続されている各機器が中位階層の機器に相当する。
また、地区ベル用中継器Ｂ１１には、複数の地区ベルを接続することができ、地区ベルＢ１１１、地区ベルＢ１１２、地区ベルＢ１１３、及び地区ベルＢ１１４の各機器が、制御回線を介して接続されている。
また、防排煙制御用中継器Ｄ１１には、複数の防排煙機器を接続することができ、防火戸Ｄ１１１、排煙機Ｄ１１２、シャッタＤ１１３、及びたれ壁Ｄ１１４の各機器が、制御回線を介して接続されている。このように、各中継器に接続された各機器が下位階層の機器（端末機器）に相当する。
このように、火災受信機ＦＡは、信号線ＳＧを介して、階層構造化された火災防火設備と接続されており、火災の発生を検知した場合には火災警報するとともに、必要に応じて防火戸等の防排煙機器を作動させる制御（連動制御）をすることで延焼を防ぐことができる。
なお、光電式アナログ感知器ＳＥ１１、熱アナログ感知器ＳＥ１２、及びアドレッサブル発信機ＳＥ１３を総称して火災感知器と称する。また、防火戸Ｄ１１１、排煙機Ｄ１１２、シャッタＤ１１３、及びたれ壁Ｄ１１４を総称して防排煙機器と称する。
【００１２】
図２は、本発明の実施の形態１における火災受信機ＦＡの概略構成の一例を示す図である。図２に示すように、火災受信機ＦＡは、制御部２１、送受信部２２、表示部２３、記憶部２４、及び操作部２５を備える。
【００１３】
制御部２１は、例えば、ＣＰＵで形成され、火災受信機ＦＡ全体を統括制御するものである。制御部２１は、例えば、ＯＳ及びアプリケーションプログラム等を実行する。また、制御部２１は、編集処理部４３を備える。
編集処理部４３は、操作部２５からの入力に基づいて、行動ガイド画面を編集する。編集処理部４３は、例えば、記憶部２４に格納されているテンプレート情報を表示部２３で表示させ、操作部２５で編集させ、編集結果を編集情報として記憶部２４に格納させる。
【００１４】
テンプレート情報は、例えば、行動ガイド画面に関する図面領域、行動ガイド画面に関する文章領域、及び行動ガイド画面の選択肢領域である。具体的には、制御部２１が表示部２３によりテンプレート情報を表示させておき、その状態で操作部２５からテンプレート情報の内容が入力された場合、編集処理部４３は、その入力された内容を編集する。
より具体的には、テンプレート情報の内容として、行動ガイド画面に関する図、行動ガイド画面に関する文章、行動ガイド画面の選択肢が入力されたとき、編集処理部４３は、それらの情報を紐付けする作業を実行することにより編集を行う。また、編集処理部４３は、詳細については後述するように、各編集した行動ガイド画面の表示順が操作部２５により入力（ユーザー操作）されたとき、行動ガイド画面同士を紐付けする作業を実行することにより編集を行う。
【００１５】
送受信部２２は、火災受信機ＦＡと接続されている機器と、信号線ＳＧを介して、各種データを送受信するものである。
表示部２３は、例えば、液晶ディスプレイで形成され、各種データを表示する出力デバイスである。
記憶部２４は、例えば、ハードディスクやフラッシュメモリ等で形成され、プログラム、各種データ、及び各種データベース等が格納される。記憶部２４は、操作部２５からの入力が何の処理に対応するかを予め対応付けた割り当て情報と、行動ガイド画面を編集した結果である編集情報と、行動ガイド画面を編集する際、テンプレートとして利用されるテンプレート情報とを格納する。
【００１６】
操作部２５は、例えば、タッチパネルにより形成される入力デバイスであり、制御部２１で実行されるプログラムに応じた入力を行う。
なお、以後において、タッチパネルによる入力を前提として説明するが、特にこれに限定するものではない。例えば、押し釦による入力デバイスが搭載されたものであってもよく、音声入力手段による入力デバイスが搭載されたものであってもよく、撮像手段のモーションキャプチャー機能による入力デバイスが搭載されたものであってもよい。
【００１７】
図３は、本発明の実施の形態１におけるテンプレートを利用した行動ガイド設定例を示す図である。なお、以降の説明において、操作可能なボタンは網掛けで表示するものとする。
まず複数の行動ガイド画面からなる新しい行動ガイドを作成するにあたって、操作部２５から行動ガイド編集開始が入力されると、編集処理部４３は、テンプレート情報としてのデフォルトテンプレート１０１として、画像表示順序テンプレート２０１及び画像テンプレート２０２を図２に示す表示部２３に表示させる。
【００１８】
画像表示順序テンプレート２０１は、複数の行動ガイド画面の表示順序を設定させるものである。例えば、火災時や故障時において管理者等が所定の行動をとれるように行動をガイドするための行動ガイド画面を事前に複数作成しておき、これら複数の行動ガイド画面をどの順序で表示部に表示させるかは、この画像表示順序テンプレート２０１を使用する。つまり画像表示順序テンプレート２０１に、表示される順番を想定して、複数の行動ガイド画面を並べていけばよい。
【００１９】
この画像表示順序テンプレート２０１上で行動ガイド画面を設定する際、行動ガイド画面はサムネイル表示(縮小表示)された画面アイコンとして表示され、この画像アイコン同士を矢印で接続させることにより、画像表示順序が設定される。
具体的には、行動ガイド画面を表す一方の画面アイコンと、もう一方の画面アイコンとがユーザ操作によって接続される動作が実行されたとき、編集処理部４３は、ユーザ操作によって接続された２つの画面アイコンの座標を計算し、それにより、２つの画面アイコンの順番を紐付けする。
【００２０】
例えば、上下に並ぶ画面アイコンＳ１と画面アイコンＳ２とを接続すると、上に表示されている画面アイコンＳ１から下に表示されている画面アイコンＳ２に向かう矢印で接続され、左右に並ぶ画面アイコンＳ２と画面アイコンＳ３とを接続すると、左に表示されている画面アイコンＳ２から右に表示されている画面アイコンＳ３に向かう矢印で接続され、行動ガイドを表示するときには、矢印の順番に行動ガイド画面が表示されることとなる。
【００２１】
なお、画像表示順序テンプレート２０１への表示は、行動ガイド画面のサムネイル表示である必要は特になく、互いの画面アイコンが識別可能になっていればよい。例えば、色や模様によって区別がされていてもよい。
なお、図３においては、サムネイル表示といった細かい図形描写については省略表示する。また、上記で説明した複数の画像アイコン同士の接続手順については一例であり、特にこれに限定するものではなく、矢印の始点と終点を指定する等により座標に基づく順番付け以外の方法で表示の順番を紐付けしても良い。
【００２２】
画像テンプレート２０２は、１頁分の行動ガイド画面の表示内容を設定させるものである。具体的には、画像表示順序テンプレート２０１で座標を選択して画面アイコンに割り当てる行動ガイド画面を設定する。
画像テンプレートは、例えば以下のように構成される。画像テンプレートの上部から、図面表示領域Ａ、タイトル表示領域Ｂ、文章(本文)表示領域Ｃが設けられ、文章表示領域Ｃの中に選択肢表示領域Ｄが設けられている。図面表示領域Ａには、求められる行動や現在の状況を示すのに適切な図や写真が設定され、タイトル表示領域Ｂには、行動ガイダンスにふさわしいタイトル、例えば、「火災時行動ガイド」などが入力される領域である。また、文章表示領域Ｃには、行動をガイドするにあたって、操作者がとるべき行動が簡潔な文章で入力される。また、選択肢表示領域Ｄには、「ＹＥＳ」や「ＮＯ」等の行動ガイドの選択肢等が設定される。
【００２３】
具体的には、図表示領域がユーザ操作により選択されると、火災受信機ＦＡが記憶部等に現在保持している画像データ一覧が表示され、この中からユーザが画像を選択すると、編集処理部４３は、該当する画像データと、行動ガイド画面とを紐付けする。
また、タイトル表示領域Ｂや文章表示領域等Ｃがユーザ操作により選択されると、火災受信機ＦＡが現在保持している文章テンプレートが表示されたり、空文が表示されたりし、ユーザに文章テンプレートを選択させたり、任意の文章を入力させたりすると、編集処理部４３は、設定された文章データと、行動ガイド画面とを紐付けする。
また、行動ガイドの選択肢がユーザ操作により選択されると、編集処理部４３は、紐付けされた画像データ及び紐付けされた文章データと、行動ガイドの選択肢とを紐付けさせることにより、画像テンプレート２０２を利用して１枚１枚の行動ガイド画面を作成していく。
【００２４】
なお、先に座標を指定することで画像順序テンプレート２０１のどの画面アイコンに対する行動ガイド画面かを指定したが、特にこれに限定するものではなく、複数の行動ガイド画面を先に設定し、後から画像順序テンプレート２０１によって行動ガイド画面と画面アイコンを紐付けするようにしても良い。
【００２５】
このように、画像表示順序テンプレート２０１と画像テンプレート２０２により、行動ガイドに関する行動ガイド画面と行動ガイド画面の表示順序とを設定する。
このように作成された行動ガイドは、編集処理部４３が論理的に矛盾があるか否かを確認してもよい。例えば、入力された文章と入力された選択肢については、編集処理部４３が構文解析することにより、矛盾点の整合性を評価してもよい。
【００２６】
次にユーザ設定後の処理について図４を用いて説明する。編集処理部４３によって編集されユーザ設定済み行動ガイダンスであるテンプレート１０２としては、画像表示順序テンプレート２０３で示すように、３枚の画像表示順序が設定されている。
次に、この３枚の画像表示順序について説明する。画像表示順序テンプレート２０３に示すように、ユーザが選んだ選択肢によって、１つの画面から、２つの画面の何れかに画面が遷移される。
火災感知器が火災を検知して火災信号を信号線ＳＧに送信すると、送受信部２２を介して火災信号が制御部２１に通知される。火災信号を受信した制御部２１は、表示部２３に火災発生場所を表示して火災警報を行うとともに、記憶部２４からステップＳ１１の行動ガイド画面を読み出し、表示部２３に行動ガイドを表示させる。
【００２７】
ステップＳ１１において、本文表示領域に「現場を確認してください。火災でしたか？」と表示され、「ＹＥＳ」か「ＮＯ」の選択肢が提示されている。このとき、「ＹＥＳ」が選択されたとき、ステップＳ１２へ進み、「ＮＯ」が選択されたとき、ステップＳ１３へ進む。
ステップＳ１２において、火災であった場合の行動ガイド画面が表示される。
ステップＳ１３において、火災ではなかった場合の行動ガイド画面が表示される。
【００２８】
このように好みの行動ガイド画面を作成するためのフォーマットとなる行動ガイド画面のテンプレートを備えることで、火災受信機の設置先の要求に適合した行動ガイド画面を作成して、必要時に火災受信機の表示部に表示させることができる。例えば、消防車等を呼ぶ番号は国毎に異なるため、このような編集機能により、ユーザ側で任意に必要な電話番号を入力設定することができる。
また、法規制も国ごとに異なるため、このような編集機能により、ユーザ側で任意に必要な行動文を入力設定することができる。
すなわち、火災受信機側でテンプレート情報だけ提供しておけば、後は、設置場所の基準に準拠した行動ガイドを設定することができるため、より設置場所の使用目的に適合した行動ガイドを作成することができ、事前に設置場所の要求を細かくヒアリングする必要もないため、火災受信機の製造コストを削減することができ、短期間で行動ガイドを編集可能な火災受信機を製造でき、短期間で施工を完了させることができるようになる。
なお、上記で説明した表示例及び設定例は一例を示すものであり、特にこれに限定するものではない。
【００２９】
以上のように、本実施の形態１において、火災受信機の設置先の要求に適合した行動ガイドを表示させることができる。
【符号の説明】
【００３０】
１０  火災受信機、２１  制御部、２２  送受信部、２３  表示部、２４  記憶部、２５  操作部、４３  編集処理部、１０１  デフォルトテンプレート、１０２  ユーザ設定済みテンプレート、２０１、２０３  画像表示順序テンプレート、２０２  画像テンプレート。
【図１】
2014016683.tif 000003
【図２】
2014016683.tif 000004
【図３】
2014016683.tif 000005
【図４】
2014016683.tif 000006